(57)【要約】【課題】検査着の模様を識別して患者がどの言語を理解できるかを判断し、検査時に患者が理解可能な言語を用いて指示を与える医用画像診断装置を提供する。【解決手段】患者の断層画像を収集する撮影部と、撮影部を制御して患者の検査を実行する検査制御部と、患者が着用した検査着の模様を識別し、患者が理解可能な言語を判別する言語判別部と、検査の進行に合わせて、判別した言語によって患者への指示を行うガイド部と、を備える。【選択図】図２
2010284423.tif 000002
【特許請求の範囲】
【請求項１】
患者の断層画像を収集する撮影部と、
前記撮影部を制御して前記患者の検査を実行する検査制御部と、
前記患者が着用した検査着の模様を識別し、前記患者が理解可能な言語を判別する言語判別部と、
前記検査の進行に合わせて前記判別した言語によって前記患者への指示を行うガイド部と、
を具備したことを特徴とする医用画像診断装置。
【請求項２】
前記検査着は、複数の言語別にそれぞれ異なる色及びマークの少なくとも一方で表わした模様を付し、前記言語判別部は、前記模様を識別して前記患者が理解可能な言語を判別することを特徴とする請求項１記載の医用画像診断装置。
【請求項３】
前記言語判別部は、前記患者の映像を撮影するカメラと、
前記カメラで撮影した前記患者が着用した検査着の模様を識別し、前記患者が理解可能な言語を識別する画像識別部と、
を含むことを特徴とする請求項１記載の医用画像診断装置。
【請求項４】
前記ガイド部は、前記検査の進行に従って順番付けされた音声データとテキストデータを複数の言語毎に記憶したデータベースと、
前記音声データに基づく音声を発生するスピーカと、
前記テキストデータを含む画像を表示可能なディスプレイと、を有し、
前記検査の進行に合わせて、前記データベースから前記患者が理解可能な言語の音声データ及びテキストデータを順次に読み出し、前記スピーカ及び前記ディスプレイに出力することを特徴とする請求項１記載の医用画像診断装置。
【請求項５】
前記ガイド部は、前記撮影部を操作する操作者が理解可能な言語の操作者用テキストデータを前記データベースに記憶し、前記検査の進行に合わせて、前記データベーカから前記操作者用テキストデータを順次に読み出し、表示部に表示することを特徴とする請求項１記載の医用画像診断装置。
【請求項６】
検査の進行に従って順番付けされた音声データとテキストデータを含むガイド情報を複数の言語毎にデータベースに記憶し、
患者が着用した検査着の模様を識別して前記患者が理解可能な言語を判別し、
前記患者の断層画像を収集する撮影部を制御して前記患者の検査を予め設定した順序で実行し、
前記検査の進行に合わせて、前記データベースから前記判別した言語の音声データ及びテキストデータを順次に読み出し、スピーカ及びディスプレイに出力して前記患者をガイドすることを特徴とする医用画像撮影方法。
【請求項７】
前記撮影部を操作する操作者が理解可能な言語の操作者用テキストデータを前記データベースに記憶し、
前記検査の進行に合わせて、前記データベーカから前記操作者用テキストデータを順次に読み出し、表示部に表示することを特徴とする請求項６記載の医用画像撮影方法。
【発明の詳細な説明】
【技術分野】
【０００１】
本発明は、Ｘ線ＣＴ装置（コンピュータ断層像撮影装置）やＭＲＩ装置（磁気共鳴イメージング装置）等の医用画像診断装置に係り、特に患者に対して音声等により検査時の指示を与えるようにした医用画像診断装置及び医用画像撮影方法に関する。
【背景技術】
【０００２】
従来、医用画像診断装置としてＸ線ＣＴ装置や、ＭＲＩ装置等が使用されている。例えばＸ線ＣＴ装置は、患者にＸ線を曝射し、患者を透過したＸ線をＸ線検出器で検出することで投影データを収集し、再構成することにより患者の断層画像を取得することができる。このような医用画像診断装置では、検査中の患者に対して検査の進行に合わせて決められた音声ガイドを発生し、例えば「息を吸って止めてください」、「動かないでください」、「楽にしてください」等の指示を行うようにしている。
【０００３】
一方、近年では日本においても国際化が進み、様々な言語を母国語とする外国人が長期滞在するようになっている。それに伴い医療機関では、医用画像診断装置による検査を受ける外国人が多くなっている。したがって医療機関においては、様々な言語に対応する必要がある。しかしながら、国内の医用画像診断装置が発生する音声は日本語のみといった場合が多く、外国人には理解し難いことが予想される。このため、患者が音声ガイドの指示に従うことができずに検査をやり直したり、検査が長引くことがあり、不要なＸ線を被曝してしまう等の不具合がある。
【０００４】
特許文献１には、音声選択装置を有する医用画像診断装置が開示されている。この例では、音声情報を複数種の言語で記憶する記憶手段と、複数種の言語の中から所望の言語を選択する言語選択手段と、選択された言語に対応する音声情報を記憶手段から読み出し、音声出力する音声出力手段を備えている。
【０００５】
しかしながら、患者に適した言語の音声を発生さるためには、患者がどのような言語を理解できるかを予め調べておき、検査毎に発生言語の切り替えを行う必要があり、操作が複雑になるという不具合がある。特に集団検診などで多くの患者が次々にやってくる場合等は検査技師等の手間が増え、検査効率の面でさらなる改善の余地がある。
【先行技術文献】
【特許文献】
【０００６】
【特許文献１】特開２０００−３４２５６３号公報
【発明の概要】
【発明が解決しようとする課題】
【０００７】
従来、音声ガイドを発生する医用画像診断装置では、発生する音声が自国語（日本であれば日本語）のみといった場合が多く、外国人には理解し難いことが予想される。また音声選択装置を有する医用画像診断装置であっても、患者がどのような言語を理解できるかを予め調べておき、検査毎に発生言語の切り替えを行う必要があり、操作が複雑になるという課題があった。
【０００８】
本発明は上記事情に鑑みて成されたもので、患者が理解できる言語を検査着の模様（色やマーク）を識別することによって判断し、検査時に患者が理解可能な言語の音声又はテキストを用いてガイドすることができる医用画像診断装置及び医用画像撮影方法を提供することを目的とする。
【課題を解決するための手段】
【０００９】
請求項1記載の本発明の医用画像診断装置は、患者の断層画像を収集する撮影部と、前記撮影部を制御して前記患者の検査を実行する検査制御部と、前記患者が着用した検査着の模様を識別し、前記患者が理解可能な言語を判別する言語判別部と、前記検査の進行に合わせて前記判別した言語によって前記患者への指示を行うガイド部と、を具備したことを特徴とする。
【００１０】
請求項６記載の本発明の医用画像撮影方法は、検査の進行に従って順番付けされた音声データとテキストデータを含むガイド情報を複数の言語毎にデータベースに記憶し、患者が着用した検査着の模様を識別して前記患者が理解可能な言語を判別し、前記患者の断層画像を収集する撮影部を制御して前記患者の検査を予め設定した順序で実行し、前記検査の進行に合わせて、前記データベースから前記判別した言語の音声データ及びテキストデータを順次に読み出し、スピーカ及びディスプレイに出力して前記患者をガイドすることを特徴とする。
【発明の効果】
【００１１】
本発明によれば、検査技師は言語が異なる患者とのやり取りや、手動による言語切り替えの操作が不要となるため、検査に専念することができ、検査効率を高めることができる。
【図面の簡単な説明】
【００１２】
【図１】本発明の一実施形態に係る医用画像診断装置の構成を示すブロック図。
【図２】同実施形態におけるガイド部の構成を示すブロック図。
【図３】同実施形態にて使用する検査着の一例を示す説明図。
【図４】同実施形態にて使用する検査着の他の例を示す説明図。
【図５】同実施形態にて使用する検査着のさらに他の例を示す説明図。
【図６】同実施形態におけるディスプレイ画像の一例を示す説明図。
【図７】同実施形態におけるデータベースの言語テーブルの一例を示す説明図。
【図８】同実施形態での検査処理の流れを示すフローチャート。
【発明を実施するための形態】
【００１３】
以下、この発明の一実施の形態について図面を参照して詳細に説明する。
【実施例１】
【００１４】
図１は本発明の一実施形態に係る医用画像診断装置の構成を示すブロック図である。本実施形態では、医用画像診断装置としてＸ線ＣＴ装置（コンピュータ断層撮影装置）１００を用いた例を説明する。
【００１５】
Ｘ線ＣＴ装置１００は、架台１０とコンピュータシステム２０から構成される。架台１０は、患者Ｐに関する投影データを収集するもので、回転フレーム１１、Ｘ線管球１２、Ｘ線検出器１３、データ収集部１４、非接触型のデータ伝送装置１５、スリップリング１６、架台駆動部１７を含む。Ｘ線管球１２、Ｘ線検出器１３、及びデータ収集部１４は、患者の断層画像を収集する撮影部を構成する。
【００１６】
回転フレーム１１は、回転駆動するリングであり、Ｘ線管球１２とＸ線検出器１３を搭載している。この回転フレーム１１の中央部分は開口しており、開口部に、寝台１８（図２）の天板１９に載置された患者Ｐが挿入される。Ｘ線管球１２は、Ｘ線を発生する真空管であり、Ｘ線管球１２には、Ｘ線の曝射に必要な電力（管電流、管電圧）が高電圧発生部２８（後述）からスリップリング１６を介して供給される。Ｘ線管球１２は、供給された高電圧により電子を加速させターゲットに衝突させることで、有効視野領域ＦＯＶ内に載置された患者Ｐに対してＸ線を曝射する。
【００１７】
Ｘ線検出器１３は、患者Ｐを透過したＸ線を検出するものであり、Ｘ線管球１２に対向して回転フレーム１１に取り付けられている。Ｘ線検出器１３は、例えばマルチスライスタイプの検出器であり、シンチレータとフォトダイオードを組み合わせて構成した複数の検出素子が、二次元的に配列されている。
【００１８】
データ収集部１４は、ＤＡＳ(Data Acquisition System) と呼ばれ、Ｘ線検出器１３からチャンネルごとに出力される信号を電圧信号に変換し、増幅し、さらにデジタル信号に変換する。このデジタルデータは、非接触型のデータ伝送装置１５を介してコンピュータシステム２０に送られる。架台駆動部１７は、回転フレーム１１を回転駆動する。この回転駆動により、Ｘ線管球１２とＸ線検出器１３とが対向しながら、患者Ｐの体軸を中心に螺旋状に回転することになる。
【００１９】
コンピュータシステム２０は、バスライン２０１を含み、前処理部２１、システム制御部２２、記憶部２３、再構成処理部２４、画像処理部２５、表示部２６、操作部２７、高電圧発生部２８、ディスプレイ・スピーカ制御部２９を備えている。前処理部２１は、データ収集部１４からの生データを、非接触データ伝送装置１５を介して受け取り感度補正やＸ線強度補正を行う。システム制御部２２は、バスライン２０１に接続され、Ｘ線ＣＴ装置１００の全体的な制御を行い、スキャン処理、信号処理、画像生成処理、画像表示処理等を行う。
【００２０】
前処理部２１によって各種の補正を受けた生データは、投影データと呼ばれ、バスライン２０１を介して記憶部２３に一旦記憶される。再構成処理部２４は、複数種類の再構成法を装備し、操作者によって選択された再構成法により画像データを再構成する。
【００２１】
画像処理部２５は、再構成処理部２４によって生成された再構成画像データに対して、ウィンドウ変換、ＲＧＢ処理等の表示のための画像処理を行い、表示部２６に出力する。また、画像処理部２５は、オペレータの指示に基づき、任意断面の断層像、任意方向からの投影像、３次元画像等の生成を行い、表示部２６に出力する。また記憶部２３は、生データのほかに、再構成処理した断層像データ等の画像データを記憶する。
【００２２】
表示部２６は、画像処理部２５から入力したコンピュータ断層画像等のＣＴ画像を表示する。操作部２７は、キーボードや各種スイッチ、マウス等を備え、操作者（オペレータ）によって操作され、各種のスキャン条件等を入力するものである。また検査時に音声ガイドの発生指示などを行う。高電圧発生部２８は、スリップリング１６を介して、Ｘ線の曝射に必要な電力をＸ線管球１２に供給する。
【００２３】
尚、Ｘ線ＣＴ装置１００は、ネットワークを介して、ＲＩＳ（Radiology Information System）サーバ、ＰＡＣＳ等（図示せず）の他の装置と通信を行い、ネットワークを介して、ＰＡＣＳ等に画像データ、患者情報等を保存することもできる。
【００２４】
さらにシステム制御部２２は、入力されたスキャン条件に基づいて、高電圧発生部２８、架台駆動部１７、及び天板１９の体軸方向への送り量、送り速度、Ｘ線管球１２とＸ線検出器１３の回転速度、回転ピッチ、及びＸ線の曝射タイミング等を制御し、患者の所望の撮影領域に対して多方向からＸ線コーンビーム又はＸ線ファンビームを曝射させ、Ｘ線ＣＴ画像のデータ収集（スキャン）処理を行う。
【００２５】
また本発明では、例えばガントリ１１にディスプレイ１０１とスピーカ１０２を含むガイド部３０（図２）を設けている。ガイド部３０は、検査中の患者に対して検査の進行に合わせて各種の指示を行うもので、スピーカ１０２から決められた音声ガイドを発生し、例えば「息を吸って止めてください」、「動かないでください」、「楽にしてください」等の指示を自動的に行う。またディスプレイ１０１に検査に必要な情報を表示する。
【００２６】
図２は、本発明の一実施形態に用いるガイド部３０の一例を示すブロック図である。ガイド部は、ディスプレイ１０１と、スピーカ１０２と、寝台１９に載置された患者Ｐの映像を撮影するカメラ１０３を含み、さらにデータベース３１と、検査制御部３２と、表示処理部３３と、音声出力部３４と、画像認識部３５を備えている。
【００２７】
表示処理部３３と音声出力部３４は、ディスプレイ・スピーカ制御部２９を構成する。またデータベース３１、検査制御部３２、表示処理部３３、音声出力部３４、画像認識部３５は、バスライン３０１に接続している。またバスライン３０１には表示部２６が接続されている。
【００２８】
ディスプレイ１０１は、ガントリ１０又はその近傍に配置される。具体的には、ガントリ１０のハウジング表面であって、Ｘ線障害物にならず、かつ開口部に挿入された患者Ｐから視認できる場所、典型的には開口部の周囲のすり鉢状に傾斜する部分に液晶パネル等が配置される。或いはディスプレイ１０１は、ガントリ１０から自由多関節アーム（図示せず）を介して保持されてもよい。スピーカ１０２も同様にガントリ１０又はその近傍に配置される。典型的には開口部の周囲のすり鉢状に傾斜する部分に配置される。表示処理部３３は、ディスプレイ１０１への表示を制御し、音声出力部３４はスピーカ１０２からの音声出力を制御する。
【００２９】
データベース３１は、予め複数の言語による音声データと、音声データに合致するテキストデータとを含むガイド情報を言語テーブル（図７で後述）に保持している。また検査技師用のテキストも保持している。検査制御部３２は、予め登録されたプログラムに従って所定のシーケンスで検査を実行するためのものであり、検査内容に応じて検査の手順を制御する。
【００３０】
カメラ１０３は、患者Ｐの映像を撮影するものであり、患者Ｐを撮影可能な位置に取り付けられている。カメラ１０３で撮影した映像は画像認識部３５に送られ、画像認識部３５は患者が着用した検査着の模様（色やマーク）を識別して患者が理解可能な言語を判別する。したがって、カメラ１０３と画像認識部３５は、言語判別部を構成する。
【００３１】
画像認識部３５によって患者が理解可能な言語が判別されると、判別結果が検査制御部３２に送られ、検査制御部３２はデータベース３１にアクセスして、指定された言語の音声データ及びテキストデータを読み出し、所定言語の音声データを音声出力部３４に供給し、該当する言語のテキストデータを表示処理部３３に供給する。また検査技師等の操作者（オペレータ）が理解可能な言語のテキストデータを読み出して表示部２６に供給する。表示部２６は、Ｘ線ＣＴ装置１００が置かれた検査室とは別の部屋に設けられており、コンピュータシステム２０の一部を構成する。
【００３２】
図３は、患者が着用する検査着の一例を示す図である。図３（ａ）の検査着４１は、例えば日本人用であり白地のものである。図３（ｂ）の検査着４２は、例えば英語が理解できる患者用であり、白地に１本の太いマーク（ライン）４２１が引かれている。図３（ｃ）の検査着４３は、例えばドイツ語が理解できる患者用であり、白地に２本の太いライン４３１が引かれている。さらに図３（ｄ）の検査着４４は、例えばフランス語が理解できる患者用であり、白地に３本の太いライン４４１が引かれている。或いは、色の異なる検査着を複数用紙し、白色は日本人用、青色は中国人用、赤色は韓国人用など、色によって患者が理解可能な言語を識別するようにしてもよい。勿論、色とマークの両方を組み合わせた模様によって複数の言語を特定するようにしてもよい。
【００３３】
このように、言語毎にマークや色で構成される模様の異なる検査着を予め更衣室に用意することにより、患者は自身が理解できる言語に対応した検査着を選択して着用することができる。例えば更衣室に「Ｅｎｇｌｉｓｈ」、「Ｇｅｒｍａｎ」、「Ｆｒｅｎｃｈ」、「Ｃｈｉｎｅｓｅ」…等の言語別の棚を用意し、その中に言語別の検査着を入れておき、患者自身に最も理解できる言語用の検査着を選択させるようにすると良い。或いは、「Ｅｎｇｌｉｓｈ」、「Ｇｅｒｍａｎ」、「Ｆｒｅｎｃｈ」、「Ｃｈｉｎｅｓｅ」…等の言語を縫い付けた検査着を用意し、患者自身に検査着を選択させるようにしても良い。
【００３４】
こうして画像認識部３５は、検査着の模様、例えば色やマーク（ラインなし、１本のライン、２本のライン、３本のライン等）を認識し、患者が理解可能な言語を判別する。尚、検査着のマークとしては、ラインに限らず、丸、四角、三角等のマークを用いてもよく、さらにマークの個数を変えることで言語を特定できるようにしてもよい。マークは検査着に大きく施すと良い。
【００３５】
図４、図５は検査着の他の例を示した図である。図４は、（ａ）と（ｂ）で示すように、検査着４５，４６の全体の色を変え、男性と女性を識別できるようにしたものである。この例でもマーク４５１，４６１（ライン）の個数によって言語を特定できるようにしている。図５は、検査着４７，４８の全体の色を統一し、（ａ）と（ｂ）で示すように、マーク４７１，４８１（ライン）の色を変え、言語を特定できるようにしたものである。またマーク４７１，４８１の個数を変えることで別の言語を特定するようにしてもよい。さらに、別の例としては検査着の大きさを判別して患者が子共か大人かを判別し、子供であれば優しい声音で音声を出力するようにしてもよい。
【００３６】
以下、言語を判別したあとの検査処理について説明する。患者Ｐは検査の前に自身が選択した検査着を着用し、寝台１８に横たわる。カメラ１０３は、寝台１８に横たわった患者Ｐの全体が画像中に入るような位置に設定されており、検査技師が検査開始を検査制御部３２に伝えると、検査制御部３２は画像認識部３５に言語の認識を要求する。
【００３７】
カメラ１０３は患者Ｐの映像を撮像し、画像認識部３５はカメラ１０３で撮影した検査着の模様（色、マーク等）を認識して、患者Ｐが理解可能な言語を検査制御部３２に伝える。その後、検査制御部３２は受け取った言語情報をもとにデータベース３１から該当する言語の音声データを読み出し、音声出力部３４に供給する。また検査制御部３２は、音声データに合致するテキストデータをデータベース３１から読み出し、表示処理部３３に供給する。こうして、患者Ｐが理解可能な音声をスピーカ１０２から出力し、テキストデータをディスプレイ１０１に表示する。患者が難聴者である場合は、患者Ｐが理解可能なテキストデータをディスプレイ１０１に表示することで、検査を支障なく進めることができる。
【００３８】
またスピーカ１０２から発した音声言語を操作者（検査技師等）が理解できないことがあるため、スピーカ１０２からの音声発生と同一のタイミングで、検査制御部３２はデータベース３１から操作者用テキストを読み出して、表示部２６に一定時間表示する。
【００３９】
データベース３１には、検査の進捗状況に従って順番付けされた患者へのガイド情報が音声データとテキストデータで格納されており、かつ複数の言語に対応して記憶されている。即ち、検査やスキャンの進捗状況に合わせて複数の検査ステージ用の音声データとテキストが記憶され、それらのデータが検査の進捗に合わせて読み出されるため、例えば、「息を吸って止めてください」、「動かないでください」、「楽にしてください」…等の音声が順次出力される。また患者への指示以外の情報、例えばリラックス効果を有する音楽等の音声データをデータベース３１に記憶しておき、息止め終了後のリラックス期間や、スキャンとスキャンとの間の休止期間に読み出して出力するようにしてもよい。
【００４０】
またデータベースには、テキストデータのほかに静止画又は動画等のデータが音声データに対応づけて記憶されており、検査制御部３２は、スピーカ１０２から再生出力される音声と合致するテキストや画像データを、ディスプレイ１０１に表示させる。したがって、ディスプレイ１０１には、出力された音声に合致する言語で患者への指示が表示される。また、画像データとして患者の年齢や性別に合わせたデータを用意し、女性用や子共用の画像を表示するようにしても良い。
【００４１】
さらに画像データとしては、スキャンの進捗状況、検査の進捗状況等を文字でメッセージ表示するデータを含めてもよい。例えば、息止め開始までの時間、息止め終了までの残り時間、息止め終了の指示、スキャン開始までの時間、スキャン中の現況、スキャン終了までの残り時間等のデータを予め用意しておき、スキャンや検査の進捗に合わせて表示すると良い。これにより、音声指示を聞き逃した場合や音声では理解しにくい場合であっても、視覚で指示を認識し、現在の進捗状況を逐次視認することができる。
【００４２】
図６は、ディスプレイ１０１の表示例として、息止め時の画面を示している。ディスプレイ１０１の画面は、例えば操作者（検査技師等）を対象とした表示領域Ａと、患者を対象とした表示領域Ｂと、患者と操作者との両方を対象とした領域Ｃに分割することができる。表示領域Ａには、心拍数や心電波形等が表示される。
【００４３】
表示領域Ｂには、例えば息止め検査開始に際して、音声出力に合わせて「息を止めてください」等の関連する複数の画像Ｂ−１，Ｂ−２，Ｂ−３が表示される。またＢ−４の映像には、例えば幼児を対象とした息止めの指示に対応する映像が表示される。また表示領域Ｃには、患者情報、撮影技師情報、病院案内情報、広告情報が表示される。
【００４４】
図７は、データベース３１における言語テーブルの一例を示している。言語テーブルは、音声ＩＤと、言語１〜言語ｎを含み、言語１〜言語ｎの欄には音声データとテキストデータを含んでいる。音声ＩＤは検査の進行に従ってＳ１〜Ｓｎに順番付けされ、ＩＤ毎に患者へのガイド情報が音声データとテキストデータで記憶されており、かつ複数の言語毎に記憶されている。また音声ＩＤ毎に操作者用のテキストが記憶されている。
【００４５】
このように、本発明の実施形態では、患者Ｐは検査中の種々のタイミングで自身が取るべき行動を所定の言語による音声とテキスト（又は画像）で知ることができる。また息止めの残り時間、次のスキャンまでの時間、検査の残り予定時間なども表示できるので、患者が抱く不安を取り除くことができる。
【００４６】
図８は、以上説明した検査の全体の流れを示すフローチャートである。図８において、ステップＳ０は検査開始のステップであり、ステップＳ１では患者Ｐを寝台１８の上に寝かせる。ステップＳ２で検査が開始されると、ステップＳ３ではカメラ１０３によって患者の映像が撮影される。ステップＳ４では、画像認識部３５によって患者Ｐが着用した検査着の色又はマークを識別し、患者Ｐが理解可能な言語が検査制御部３２に通知される。
【００４７】
ステップＳ５では、言語の切り替えが行われ、データベース３１から該当する言語の音声データとテキストデータ（又は画像データ）が読み出され、ステップＳ６では検査プログラムに従って順次に検査が行われる。このときステップＳ７では音声ガイドが必要か否かを判断し、音声ガイドが必要な場合は、ステップＳ８とステップＳ９に移行する。
【００４８】
ステップＳ８では、スピーカ１０２から所定の言語の音声が出力され、ステップＳ９では、対応する言語のテキストまたは画像がディスプレイ１０１に表示される。また表示部２６には操作者用のテキストが表示される。これらの音声出力及び表示は、検査の進捗に合わせて順次に切り替えられ、ステップＳ１０で全ての検査が終了されたと判断されるまで行われる。全ての検査が終了するとステップＳ１１で終了となる。
【００４９】
本発明では、検査着を言語切り替えのキーとしているが、画像認識部３５は、例えば検査着が映っている画面の色成分がどの程度であるか、或いはマークを大雑把に認識することで患者が理解可能な言語を知ることができるため、安価で省力の技術で言語切り替えが可能となる。
【００５０】
また患者の腕にバーコードを巻いたり、或いは検査着にＲＦＩＤ等の電波を発生させるタグを入れて認識する方法も考えられるが、この場合はバーコード部分に位置合わせして読み取る必要があるため、認識可能な範囲が限られる。またＲＦＩＤ等を用いた場合は、Ｘ線や磁気を用いた断層撮影に影響を与えたり、認識できない可能性もある。その点、本発明では検査着の色やマークを識別することで患者が最も得意とする語を判別するため、断層撮影に影響を与えたり、画像診断のためのセンサーの動作に干渉する心配もない。
【００５１】
また検査技師は、言語が異なる患者とのやり取りや、手動による言語切り替えの操作が不要となるため、検査に専念することが可能であり、多くの患者を連続して検査する場合は、検診効率を高めることができる。
【００５２】
尚、以上の説明では、Ｘ線ＣＴ装置を例に述べたが、ＭＲＩ装置などの他の医用画像診断装置にも適用できることは言うまでもない。また、特許請求の範囲を逸脱しない範囲で種々の変形が可能である。
【符号の説明】
【００５３】
１００…Ｘ線ＣＴ装置
１０…架台
１１…回転フレーム
１２…Ｘ線管球
１３…Ｘ線検出器
１４…データ収集部
１５…データ伝送装置
１６…スリップリング
１７…架台駆動部
１８…寝台
１９…天板
２０…コンピュータシステム
２１…前処理部
２２…システム制御部
２３…記憶部
２４…再構成処理部
２５…画像処理部
２６…表示部
２７…操作部
２８…高電圧発生部
２９…ディスプレイ・スピーカ制御部
３０…ガイド部
３１…データベース
３２…検査制御部
３３…表示処理部
３４…音声出力部
３５…画像認識部
１０１…ディスプレイ
１０２…スピーカ
１０３…カメラ
【図１】
2010284423.tif 000003
【図２】
2010284423.tif 000004
【図３】
2010284423.tif 000005
【図４】
2010284423.tif 000006
【図５】
2010284423.tif 000007
【図６】
2010284423.tif 000008
【図７】
2010284423.tif 000009
【図８】
2010284423.tif 000010